(57)【要約】【課題】第二ＴＶ信号を表示する能力が改善されたＴＶ信号受信機を提供すること。【解決手段】本発明は、第一入力信号を受信する第一入力端子（７）、第一入力信号から第一ＴＶ信号を導出する第一ユニット（１１）、第二ＴＶ信号を供給する第二ユニット（ｘｘ）を有するＴＶ信号受信機（５）に関する。信号組合せユニット（１９）は、合成ＴＶ信号を得るために、第一制御信号に応答して少なくとも第一ＴＶ信号の一部を第二ＴＶ信号により置換する。合成ＴＶ信号は、出力端子に供給される。制御信号発生器手段（２５）は、第一制御信号を生成するように構成されている。ＴＶ信号受信機は、更に、信号組合せユニットに第一ＴＶ信号を提示する前に、第一ＴＶ信号を遅延させることが出来るように、第一ＴＶ信号を読み出しかつ格納する格納装置（１７）を含む。格納装置は、第一制御信号に応じて、第一ＴＶ信号の読み出しを中止するように構成されている。【選択図】図１
2004508767.tif 000002
【特許請求の範囲】
【請求項１】
第一入力信号を受信する第一入力端子と、
前記第一入力信号から、信号組合せユニットの第一入力に供給される第一ＴＶ信号を導出する第一ユニットと、
第二入力信号から、前記信号組合せユニットの第二入力に供給される第二ＴＶ信号を導出する第二ユニットとを、有するＴＶ信号受信機であって、
前記信号組合せユニットが、前記信号組合せユニットの出力に合成ＴＶ信号が供給されるように、第一制御信号に応じて、その第一入力で受信された前記信号の少なくとも一部をその第二入力で受信された前記信号により置換するように構成されていて、
前記信号組合せユニットが、第二制御信号に応じて、その第一入力で受信された前記信号を前記出力に供給するように構成されていて、
前記信号組合せユニットの前記出力が、前記ＴＶ信号受信機の出力に結合されていて、
前記ＴＶ信号受信機が、前記第一および第二制御信号を生成する制御信号発生器手段を更に含む、ＴＶ信号受信機において、
前記ＴＶ信号受信機が、更に、前記第一ＴＶ信号を前記信号組合せユニットに提出する前に前記第一ユニットにより導出された前記第一ＴＶ信号を遅延させることが出来るように前記第一ＴＶ信号を格納しかつ読み出す格納装置を含み、
前記格納装置が、前記第一制御信号に応答して前記第一ＴＶ信号を読み出すことを中止し、かつ前記第二制御信号に応答して前記第一ＴＶ信号を読み出すことを再開するように構成されていて、前記第二ＴＶ信号がパラメータを有し、
前記制御信号発生器手段が、前記第二ＴＶ信号の前記パラメータに応じて前記第一制御信号を生成するように構成されている、ことを特徴とするＴＶ信号受信機。
【請求項２】
前記制御信号発生器手段が、前記第二ＴＶ信号が送信された後に、前記第二制御信号を生成するように構成されていることを特徴とする請求項１に記載のＴＶ信号受信機。
【請求項３】
前記ＴＶ信号受信機が、更に、前記第二制御信号を生成するために、前記制御信号発生器手段に供給される第一コマンドを受信するユーザ駆動可能な入力手段を含むことを特徴とする請求項１または２に記載のＴＶ信号受信機。
【請求項４】
前記制御信号発生器手段が、更に、前記パラメータとユーザープロファイルの組合せに依存して前記第一制御信号を導出するように構成されていることを特徴とする請求項１、２または３に記載のＴＶ信号受信機。
【請求項５】
前記制御信号発生器手段が、更に、前記第一入力信号から前記第一制御信号を導出するように構成されていることを特徴とする前記請求項の何れかに記載のＴＶ信号受信機。
【請求項６】
前記制御信号発生器手段が、更に、第二入力端子で受信された第二入力信号から、前記第一制御信号を導出するように構成されていることを特徴とする前記請求項の何れかに記載のＴＶ信号受信機。
【請求項７】
前記第二ユニットが、前記第一入力信号から前記第二ＴＶ信号を導出するように構成されていることを特徴とする前記請求項の何れかに記載のＴＶ信号受信機。
【請求項８】
前記ＴＶ信号受信機が、第三入力信号を受信する第三入力端子を有し、かつ前記第二ユニットが、更に、前記第三入力信号から前記第二ＴＶ信号を導出するように構成されていることを特徴とする前記請求項の何れかに記載のＴＶ信号受信機。
【請求項９】
格納装置が、ハードディスクドライブを有することを特徴とする前記請求項の何れかに記載のＴＶ信号受信機。
【請求項１０】
放送されている第一ＴＶ信号をＴＶ信号受信機によって視聴している顧客に、第二ＴＶ信号を供給する方法であって、前記方法が、
− 前記ＴＶ信号受信機に第二ＴＶ信号を供給するステップ、
− 前記ＴＶ信号受信機に前記第二ＴＶ信号の前記コンテンツについての情報を供給するステップ、
− 前記第二ＴＶ信号が、表示されるべきである場合に、前記ＴＶ信号受信機における手段により前記情報を分析し、かつ前記第一ＴＶ信号と同時に供給される前記第二ＴＶ信号の一つが、前記ユーザに表示されるべきであるか否かを決定するステップ、
− 前記第一ＴＶ信号を前記前記ＴＶ信号受信機の前記出力に出力することを中止するステップ、
− 前記ＴＶ信号受信機における格納装置に前記第一ＴＶ信号を格納するステップ、
− 表示される前記第二ＴＶ信号を受信し、かつ前記ＴＶ信号受信機の出力に当該第二ＴＶ信号を供給するステップ、
− 前記ＴＶ信号における手段により前記第二ＴＶ信号の前記端を決定するステップ、
− 前記格納装置から当該信号を読み出すことにより前記第一ＴＶ信号を表示することを再開するステップ
を有する方法。
【発明の詳細な説明】
【０００１】
【発明が属する技術分野】
本発明は、第一入力信号を受信する第一入力端子と、前記第一入力信号から、信号組合せユニットの第一入力に供給される第一ＴＶ信号を導出する第一ユニットと、第二入力信号から、前記信号組合せユニットの第二入力に供給される第二ＴＶ信号を導出する第二ユニットとを、有するＴＶ信号受信機であって、前記信号組合せユニットが、前記信号組合せユニットの出力に合成ＴＶ信号が供給されるように、第一制御信号に応じて、その第一入力で受信された前記信号の少なくとも一部をその第二入力で受信された前記信号により置換するように構成されていて、前記信号組合せユニットが、第二制御信号に応じて、その第一入力で受信された前記信号を前記出力に供給するように構成されていて、前記信号組合せユニットの前記出力が、前記ＴＶ信号受信機の出力に結合されていて、前記ＴＶ信号受信機が、前記第一および第二制御信号を生成する制御信号発生器手段を更に含む、ＴＶ信号受信機に関する。
【０００２】
本発明は、ＴＶ信号受信機によって第一ＴＶ信号を視聴している顧客に第二ＴＶ信号を供給する方法にも関する（第一および第二ＴＶ信号は、同時に放送されている）。
【０００３】
【従来の技術】
上述のＴＶ受信機は、ＷＯ−９８／３６５６３（ＰＨＮ １６．２３０）から公知である。この公知のＴＶ受信機は、第一ＴＶ信号を受信する。当該第一ＴＶ信号は、所定の長さのＴＶ番組を有し、かつ例えば、コマーシャルまたは他の情報により、定期的に中断される。このＴＶ受信機は、さらに、第二ＴＶ信号を受信しかつ格納するように構成されている。第二ＴＶ信号は、例えば、（それらが、特に関連する商品についてのコマーシャルであることが好ましい）コマーシャル、証券取引所ニュースまたは天気予報のような他の事項についての情報等を有することが出来る。この公知のＴＶ受信機は、第一ＴＶ信号における中断が発生すると、即座に格納されている第二ＴＶ信号を出力することが出来る。
【０００４】
【課題を解決するための手段】
本発明の目的は、第二ＴＶ信号を表示する能力が改善されたＴＶ信号受信機を提供することである。
【０００５】
本発明のＴＶ信号受信機が特徴とする点は、前記ＴＶ信号受信機が、更に、前記第一ＴＶ信号を前記信号組合せユニットに提出する前に前記第一ユニットにより導出された前記第一ＴＶ信号を遅延させることが出来るように前記第一ＴＶ信号を格納しかつ読み出す格納装置（１７）を含み、前記格納装置（１７）が、前記第一制御信号に応答して前記第一ＴＶ信号を読み出すことを中止し、かつ前記第二制御信号に応答して前記第一ＴＶ信号を読み出すことを再開するように構成されていて、前記第二ＴＶ信号がパラメータを有し、前記制御信号発生器手段が、前記第二ＴＶ信号の前記パラメータに応じて前記第一制御信号を生成するように構成されている点である。
【０００６】
本発明は、次の認識に基づいている。今日、ケーブル、地上波放送、衛星放送、インターネットのような伝送媒体により、膨大な量のＴＶ信号が伝送されている。ＴＶ信号が、全てＴＶ番組である場合もあるが、コマーシャル、天気予報、警察メッセージ、ニュース放送、フットボールゲームのハイライトである場合もある。
【０００７】
ユーザが、当該ＴＶ信号が何時かつどのチャネルで放送されるかを知っている場合には、放送時点でユーザが視聴しているであろうＴＶ信号が存在する。しかしながら、彼がすでにＴＶ番組を視聴している状況では、彼は、彼が興味を持つＴＶ信号の放送を知らず、かつ従って当該ＴＶ信号を見る可能性がないこともあり得る。
【０００８】
他方、ユーザが、彼が興味を持つＴＶ信号がいつ放送されるかを知っていて、かつ彼がその時に他のＴＶ信号を視聴している場合、彼は、彼が興味を持つそのＴＶ信号に切り替えることができる。しかしながら、彼がＴＶ信号を切り替えると、他のＴＶ信号の部分は、彼が興味を持つプログラムを視聴しているので、視聴することは出来ない。したがって、彼が映画を見ていた場合、彼は当該映画の非常に興味のある部分を見逃がすことになる。
【０００９】
本発明のＴＶ信号受信機は、ユーザが興味を持つＴＶ信号が放送されているか否かを決定するために、オーディオ−ビデオ・コンテンツ・ディスクリプタのようなパラメータを使用する。第二ユニットは、当該ＴＶ信号を受信し、かつディスプレイ・ユニットに当該ＴＶ信号を供給することを可能にする信号組合せユニットに、当該ＴＶ信号を供給する。同時に、彼が興味を持つＴＶ信号は、受信され、第一ユニットは、ユーザが視聴していたＴＶ信号を受信し続ける。これ以降、第一ユニットは、格納装置にＴＶ信号を供給する。彼が興味を持つＴＶ信号が放送された後、またはユーザが、彼が当該ＴＶ信号にこれ以上興味がないことを示すと、格納装置は、信号組合せユニットにＴＶ信号の遅延バージョンを供給する。格納装置がＴＶ信号の遅延バージョンを供給するので、ユーザは、当該ＴＶ番組の如何なる部分も見逃がさずに、彼が興味を持つＴＶ信号の放送の前に見ていたＴＶ番組を視聴し続けることが出来る。
【００１０】
ＴＶ信号受信機は、前記第二制御信号を生成するために、前記制御信号発生器手段に供給される第一コマンドを受信するユーザ駆動可能な入力手段を含むことが好ましい。これは、ユーザが、第一ＴＶ信号が第二ＴＶ信号よりはるかに興味が持てることを見いだすと、ユーザが、第二ＴＶ信号を視聴するのをやめ、かつ第一ＴＶ信号を視聴することを再開することができると言う利点を有する。
【００１１】
ＴＶ信号受信機の好適な実施例が特徴とする点は、前記制御信号発生器手段が、さらに、ユーザープロファイルに応じて前記第一制御信号を導出するように構成されている点である。ユーザープロファイルは、ＴＶ信号受信機の入力で供給されるＴＶ信号のコンテンツが、ユーザが興味を持つものであるか否かを決定するために使用される。次いで、ユーザが興味を持つＴＶ信号は、第二ＴＶ信号として認識される。興味があるＴＶ信号が複数同時に放送される場合、ユーザプロフィールを、どのＴＶ信号がユーザに最も興味を起こさせるかを決定するために、使用することができる。
【００１２】
ＴＶ信号受信機のさらなる一実施例の場合、前記制御信号発生器手段は、さらに、前記第一入力信号から前記第一制御信号を導出するように構成されている。第一入力信号は、ＤＶＢのような、複数のＴＶチャネルを有していてもよい。ＴＶ信号は、各ＴＶチャネルにより、送信される。ＤＶＢ信号における種々のＴＶ信号と同時に、種々のＴＶ信号のコンテンツについての情報が、提示される。当該情報は、ＴＶ信号を第二ＴＶ信号と識別すべきか否かを決定するために使用される。情報は、文字情報であるか、または、ＤＶＢ標準により規定されているので、この情報は、第一入力信号から第一制御信号を導出することに適している。当該情報が、第一入力信号の伝送媒体として、他のＤＶＢ信号によりまたは他の伝送媒体により送信されるＴＶ信号のコンテンツについての情報を有することさえ可能である。
【００１３】
ＴＶ信号受信機の他の実施例の場合、制御信号発生器手段は、第二入力端子を介して受信された第二入力信号から第一制御信号を導出する。第二入力は、電話線を介してサービス・プロバイダに接続させてもよい。サービス・プロバイダは、ＴＶ受信機に供給されるＴＶ信号についての情報を生成する。サービスプロバイダは、ユーザが興味が持つ可能性があるそれらのＴＶ信号を選択し、かつそれらのＴＶ信号についての必要な情報をＴＶ受信機に供給する。必要な情報の具体例は、ＴＶ信号を導出するためのチャネル（情報の型）である。サービス・プロバイダは、インターネットにより情報を供給することができる。
【００１４】
【発明を実施するための形態】
本発明の実施例が、以下に、具体例により、図面を参照してより詳細に記述される。
【００１５】
図１は、線図的に、２個の放送局３， ３ａ、およびサービス・プロバイダ４、およびＴＶ信号受信機５を有するシステム１を示す。実際には、放送局３およびサービスプロバイダ４には、複数のＴＶ信号受信機が接続されているであろう。ＴＶ信号受信機５は、第一入力端子７、第二入力端子７ａ、第三入力端子８および出力端子９を有する。放送局３， ３ａにより送信されるＴＶ信号は、ＴＶ信号受信機５の第一および第二入力端子７， ７ａで受信される。これらの信号を、以下、第一入力信号および第二入力信号と呼ぶ。第一および第二入力信号は、ＴＶ番組、ニュース放送、コマーシャル、証券取引所ニュース、天気予報または他の情報を有する。第一入力端子および第二入力端子は、ケーブル接続、地上波接続または衛星接続を介して放送局に接続させることができる。第一入力信号は、第一ＴＶ信号、つまり、メインプログラムに関する。第二入力信号は、第二ＴＶ信号に関する。第二ＴＶ信号は、第一ＴＶ信号と同時に送信され、かつユーザが特に興味を持つコンテンツを有するＴＶ信号である。第二ＴＶ信号は、ニュース放送、特定分野のニュース放送、コマーシャル、天気予報またはＴＶ番組の他の興味のある部分とすることができる。
【００１６】
入力端子７で受信される第一入力信号は、第一ユニット１１に与えられる。第一ユニット１１は、第一信号により提供されている複数の第一ＴＶ信号から一つの第一ＴＶ信号を選択するチューナを有する。第一ＴＶ信号は、格納装置１７を介して信号組合せユニット１９の第一入力２７に与えられる。格納装置１７は、ＦＩＦＯバッファとして機能し、かつ第一ＴＶ信号を遅延させることが出来る。格納装置１７は、ハード・ディスク・ドライブのような直接アクセス装置を有することが好ましい。格納装置が、時間を遅延させる、つまり、留守録をさせることが出来る場合、第一ＴＶ信号は、メモリに書き込まれ、かつ後に当該メモリから読み出される。格納装置が、第一入力信号を遅延させない場合、格納装置は、メモリに第一ＴＶ信号を書き込み、かつそれをメモリから直接読み出し、かつ第一ＴＶ信号を格納装置１７の出力に供給する。
【００１７】
第二入力端子７ａで受信される第二入力信号は、第二ユニット１３に与えられる。第二ユニット１３は、第二入力信号から第二ＴＶ信号を導出する。第一入力信号が複数のＴＶ信号を有していてもよいので、第二入力信号を、第一入力信号と同じものとすることができることは、留意すべきである。第二ＴＶ信号は、信号組合せユニット１９の第二入力２９に与えられる。
【００１８】
制御ユニット２５は、第二ＴＶ信号が、第二入力端子７ａで受信されたことを示す信号に応じて、第一制御信号を生成するように構成されている。第一制御信号が出現すると、格納装置は、メモリからの第一ＴＶ信号の読み出しを中止する。第一制御信号が消えると即座に、格納装置１７は、メモリからの読み出しを再開する。したがって、第一制御信号の継続時間と等価であるタイムディレイを有する第一ＴＶ信号が、信号組合せユニット１９に供給される。信号組合せユニット１９は、合成ＴＶ信号が得られるように、当該第一制御信号に応じて第一ＴＶ信号の部分を第二ＴＶ信号によって置換するように構成されている。合成ＴＶ信号が、ＴＶ信号受信機の出力端子９に与えられる。図示されていなくかつ必ずしもＴＶ信号受信機の一部を構成しないディスプレイ装置に、合成ＴＶ信号が、再生される。
【００１９】
ＴＶ信号受信機の機能を、以下に、より詳細に記述する。第一入力信号は、入力７で受信される。ユニット１１は、第一入力信号から第一ＴＶ信号を導出する。第一ＴＶ信号は、格納装置１７に渡され、かつ信号組合せユニット１９に供給される。格納装置１７を通過させることにより、第一ＴＶ信号の遅延を導入することができる。第一制御信号が発生しない限り、何の遅延も生じない。第一制御信号が存在しない場合には、信号組合せユニット１９は、ディスプレイユニットでの再生のためにＴＶ信号受信機の出力に第一ＴＶ信号を供給する。ユーザがＴＶ信号受信機を使用するほとんどの間、受信機はこの状態にある。
【００２０】
しかしながら、ユーザは、ＴＶ信号を視聴しているので、彼が、ＴＶ信号受信機に供給される全ての他のＴＶ信号を、完全に、同時に視聴することは出来ない。放送の時点で他のＴＶ信号を見ることを可能にするために、ＴＶ信号受信機は、制御信号手段２５と第二ＴＶ信号を導出する第二ユニット１３とを有する。制御信号発生器ユニット２５は、ＴＶ信号受信機の入力に供給されるＴＶ信号についての情報を検索するように構成されている。当該情報は、入力信号における追加情報（例えば、テレテキストまたはＤＶＢチャネルにおけるプログラムガイド）とすることができる。ＤＶＢチャネルは、ＴＶ番組のコンテンツ、プログラムの種類、俳優、プロデューサなどのような、いわゆる視聴覚コンテンツの記載についての専用情報を有することさえできる。しかしながら、当該情報を受信するには、他の方法も可能である。つまり、この情報をインターネットから入手したり、サービスプロバイダにより供給させてもよい。
【００２１】
制御信号発生器ユニットの一部であるインテリジェント・エージェントは、当該情報を検索し、かつＴＶ信号が、ユーザが興味を持つことが出来る放送である場合、その情報を分析する。ユーザープロファイルを、ユーザのこのニーズを決定するために使用してもよい。例えば、放送されかつＴＶ信号受信機により視聴することが出来る全ての警察メッセージを視聴したいユーザがいたとする。この場合、エージェントは、警察メッセージの放送を検出し、かつ制御信号発生器ユニットは、当該検出に応じて第一制御信号を生成する。制御信号発生器ユニットは、ユニットにさらなる信号を供給して、ＴＶ信号受信機に供給された入力信号から、警察メッセージである第二ＴＶ信号を導出することを可能にする。第二ユニット１３は、第二ＴＶ信号を信号組合せユニット１９に供給する。
【００２２】
第一制御信号に応じて、格納装置１７は、格納装置のメモリから第一ＴＶ信号を読み出すことを中止する。第一制御信号に応じて信号組合せユニットに供給されるＴＶ信号は、信号組合せユニット１９に供給されるＴＶ信号の最後の像の反復とすることが好ましい。しかしながら、他の型の像も、可能である。
【００２３】
信号組合せユニット１９は、第一制御信号に応じて、第一ＴＶ信号における繰返しの像を第二ＴＶ信号の像により置換するように構成させることができる。しかしながら、信号組合せユニットを、また、例えば、ピクチャ・イン・ピクチャのように、第二ＴＶ信号ブロックの像が、第一ＴＶ信号の像の一部のみを置換する、像を有する合成信号を生成するようにに構成することも出来る。
【００２４】
第二制御信号に応じて、格納装置１７は格納されている第一ＴＶ信号の読み出しを再開する。信号組合せユニット１９は、第二制御信号に応じて、第一入力（２７）に与えられる信号を供給するように構成されている。
【００２５】
要するに、制御信号発生器ユニット２５は、ＴＶ信号受信機に同時に供給される全てのＴＶ信号のコンテンツを監視する。ユーザが興味を持つＴＶ信号が供給されると即座に、ユニット１３は、入力信号から当該ＴＶ信号を導出するために、チューニングを行う。当該ＴＶ信号は、出力に供給されて、表示される。当該ＴＶ信号が表示されている間、ユーザが視聴していたメインプログラムを有するＴＶ信号は、格納装置１７に格納され、かつ格納装置はメインプログラムを出力することを停止する。ユーザが興味を持つＴＶ信号が表示された後に、格納装置は、信号組合せユニットにメインプログラムを出力することを再開する。このようにして、ユーザは、彼が視聴していたＴＶ番組の部分で、かつ同時に放送されているものを見逃すことなく、放送中の興味あるＴＶ番組を視聴することが出来る。
【００２６】
制御信号発生器ユニット２５は、入力信号それ自体からその入力に供給されるＴＶ信号についての情報を検索するのみならず、当該情報を、信号受信機の第三入力端子８に当該情報を供給するサービスプロバイダ４により検索することもできる。サービスプロバイダは、ＴＶ信号受信機にＴＶ信号の情報を提示する前に、ユーザのニーズに依存して選択先読みを行うことも出来る。サービスプロバイダとＴＶ信号受信機との間の接続は、さらなる利点を有する。サービスプロバイダは、放送チャネルを介してそのサービスを送出することができる。サービス・プロバイダは、例えば、リアルタイムの株式市場ニュース、コンサートのような、イベントの案内を送出することができる。サービス・プロバイダは、また、例えば、カーレースのＴＶ番組が放送されているときに、自動車コマーシャルを送出するというように、ＴＶ番組と関係を有する当該放送チャネルによりコマーシャルを送出する可能性を有する。後者は、広告主に、自動車に興味を持つが、（広告がなければ、カーレースのＴＶ番組を見なかったであろう）人々に彼らの広告を提供する可能性を与える。
【００２７】
ＴＶ信号受信機は、ユーザ駆動可能な入力手段（３１）を有することが好ましい。ユーザ駆動可能な入力手段は、ＴＶ受信機への遠隔制御またはボタンの形とすることができる。しかしながら、当該入力手段を、音声制御とすることもできる。ユーザ駆動可能な入力手段は、第一コマンドを受信するように構成されている。第一コマンドは、第一コマンドに応じて第二制御信号を生成する制御信号発生器手段に、供給される。当該入力手段によって、ユーザは、その時興味を持つと仮定するＴＶ番組である第二ＴＶ信号の終端を待つべきではない。第一コマンドを供給することにより、ユーザが、第二ＴＶ信号が充分興味が持てるものではないと判断すると、第一ＴＶ信号（彼が前に視聴していたプログラム）の視聴を再開することが可能となる。
【００２８】
本発明が、その好適な実施例を参照して記述されたが、これは、非限定的具体例に過ぎないことを理解すべきである。従って、当業者には、種々の変更が、請求項により規定される本発明の範囲内において考えられる。例えば、第一ＴＶ信号に挿入されるＴＶ信号を選択する選択基準を、第一ＴＶ信号のコンテンツに依存させることが出来る。例えば、あるユーザが自動車についての番組を視聴している場合、これは、このユーザが自動車に興味を持つことを表示する。この表示は、自動車についてのコマーシャルが他のチャネルにより放送されると即座に、自動車についての当該プログラムを中止するために使用することが出来る。
【００２９】
動詞「有する」およびその活用型の使用は、請求項において述べられる素子またはステップのこれら以外の存在を除外するものではない。さらに、構成要素の前の冠詞”ａ”または”ａｎ”の使用は、このような構成要素の複数の存在を除外するものではない。請求項における、括弧間に配置されるいかなる引用符号も、請求項の範囲を制限するものと解釈してははならない。本発明は、ソフトウェアおよびハードウェアによって実行することができる。いくつかの「手段」は、ハードウェアの同じアイテムにより表すことができる。さらに、本発明は、各およびあらゆる特長および特長の組合せに存する。
【図面の簡単な説明】
【図１】本発明の構成の一実施例を示す。
【符号の説明】
３， ３ａ 放送局
４　サービス・プロバイダ
５　ＴＶ信号受信機
７　第一入力
７ａ　第二入力端子
９　出力
１１　第一ユニット
１３　第二ユニット
１７　格納装置
１９　信号組合せユニット
２７　第一入力
２９　第二入力
２５　制御信号発生器手段
３１　ユーザ駆動可能な入力手段
【図１】
2004508767.tif 000003
【国際公開パンフレット】
2004508767.tif 000004
2004508767.tif 000005
2004508767.tif 000006
2004508767.tif 000007
2004508767.tif 000008
2004508767.tif 000009
2004508767.tif 000010
2004508767.tif 000011
2004508767.tif 000012
2004508767.tif 000013
2004508767.tif 000014
2004508767.tif 000015
2004508767.tif 000016
【国際公開パンフレット（コレクトバージョン）】
2004508767.tif 000017
2004508767.tif 000018
【国際調査報告】
2004508767.tif 000019
2004508767.tif 000020